【手続補正書】
【提出日】平成20年10月30日(2008.10.30)
【手続補正１】
【補正対象書類名】特許請求の範囲
【補正対象項目名】全文
【補正方法】変更
【補正の内容】
【特許請求の範囲】
【請求項１】
ケーブル接続を監視するための方法であって、
ローカル・デバイスに関連するローカル・デバイス識別子およびローカル・ポート識別子を送信するステップと、
リモート・デバイスに関連するリモート・デバイス識別子およびリモート・ポート識別子を受信するステップと、
前記受信リモート・デバイス識別子および前記受信リモート・ポート識別子に基づいて前記ケーブル接続のステータスを判定するステップと、および、
前記ローカル・デバイス識別子、前記ローカル・ポート識別子、前記リモート・デバイス識別子、前記リモート・ポート識別子および前記ケーブル接続の前記ステータスを含むステータス更新メッセージをネットワーク・マネジメント・システムに送信するステップとを備える、方法。
【請求項２】
請求項１に記載の方法において、前記ローカル・デバイスおよび前記リモート・デバイスはパッチパネルである、方法。
【請求項３】
請求項２に記載の方法であって、さらに、前記受信リモート・デバイス識別子を以前に格納した受信リモート・デバイス識別子および以前に格納した受信リモート・ポート識別子と比較するステップと、前記ケーブル接続の前記ステータスにおいて変更が生じたと判定したとき、デバイス・コントローラに通知を行うステップとを備える、方法。
【請求項４】
請求項２に記載の方法において、ネットワーク・マネジメント・システムへのステータス更新メッセージを送信するステップは、複数のデバイスを前記ネットワークに接続するデイジーチェーンのネットワーク接続を介して、前記ステータス更新メッセージを送信することを備える、方法。
【請求項５】
請求項２に記載の方法であって、さらに、規定されたＳＮＭＰマネジメント情報ベースに従い、前記ローカル・デバイスおよび前記リモート・デバイスのうちの少なくとも１つのものにおけるデータストアに複数の管理データ項目を格納するステップを備える、方法。
【請求項６】
２つのパッチパネル間のケーブル接続を監視するための装置であって、
ローカル・パッチパネルであって、該ローカル・パッチパネルのポートに関連するローカル・パッチパネル識別子およびローカル・ポート識別子を送信する送信機を有し、リモート・パッチパネルのポートに関連するリモート・パッチパネル識別子およびリモート・ポート識別子を受信する受信機も有するローカル・パッチパネルと、
ポート・コントローラであって、前記受信リモート・パッチパネル識別子および前記受信リモート・ポート識別子に基づいて、前記ローカル・パッチパネルと前記リモート・パッチパネルとの間の前記ケーブル接続のステータスを判定し、前記ケーブル接続の前記ステータスに変更が生じたと判定したとき、ポート・ステータス更新を生成するポート・コントローラと、および
デバイス・コントローラであって、前記ポート・ステータス更新を受信し、前記ローカル・パッチパネル識別子、前記ローカル・ポート識別子、前記リモート・パッチパネル識別子、前記リモート・ポート識別子および前記ケーブル接続の前記ステータスを含む更新をネットワーク・マネジメント・システムに送信する、デバイス・コントローラと、
を備える装置。
【請求項７】
請求項７に記載の装置において、前記ローカル・パッチパネルの前記送信機および前記受信機は、アウトオブバンドのチャネルでそれぞれ信号を送信および受信する、装置。
【請求項８】
請求項７に記載の装置において、前記２つのパッチパネル間の前記ケーブル接続が８つのコンダクタの電気的接続を完成させるケーブルを備え、前記アウトオブバンドのチャネルが前記ケーブルの少なくとも１つの追加のコンダクタを備える、装置。
【請求項９】
請求項６に記載の装置において、前記ポート・コントローラがさらに、前記受信リモート・パッチパネル識別子および前記受信リモート・ポート識別子を、以前に格納した受信リモート・パッチパネル識別子および以前に格納した受信リモート・ポート識別子と比較する比較モジュールを備える、装置。
【請求項１０】
請求項６に記載の装置において、前記ローカル・パッチパネルはさらに、前記ネットワーク・マネジメント・システムと通信を行うネットワーク・モジュールを備える、装置。
【請求項１１】
請求項６に記載の装置において、前記ローカル・パッチパネルおよび前記リモート・パッチパネルは、デイジーチェーン・ネットワーク・ケーブルを介してデイジーチェーン構成で互いに接続される、装置。
【請求項１２】
請求項６に記載の装置において、前記ローカル・パッチパネルおよび前記リモート・パッチパネルは、パッチパネル電源モジュールを有しており、該パッチパネル電源モジュールは、互いに接続され、さらにデイジーチェーンの電源接続を介して共有の電源ソースに接続される、装置。
【請求項１３】
請求項６に記載の装置において、前記ローカル・パッチパネルおよび前記リモート・パッチパネルの各々は、さらに、前記パッチパネルのそれぞれのデータストアに複数の管理データ項目を格納するデータストア・モジュールを備える、装置。
【請求項１４】
２つのパッチパネル間のケーブル接続を監視するための装置であって、
第１のパッチパネルであって、複数の第１のパッチパネル・ポートを備え、該第１パッチパネル・ポートの各々はイン・バンド通信チャネル・コネクタおよびアウトオブバンド通信チャネル接点を備え、前記第１パッチパネルはさらに、前記第１パッチパネル・ポートのうち少なくとも１つのものの前記アウトオブバンド通信チャネル接点に接続した第１のポート・コントローラ・モジュールを備え、前記第１パッチパネルはさらに、該第１ポート・コントローラ・モジュールと通信を行う第１のパッチパネル・コントローラ・モジュールを備える、第１のパッチパネルと、
第２のパッチパネルであって、複数の第２のパッチパネル・ポートを備え、該第２パッチパネル・ポートの各々はイン・バンド通信チャネル・コネクタおよびアウトオブバンド通信チャネル接点を備え、前記第２パッチパネルはさらに、前記第２パッチパネル・ポートのうち少なくとも１つの前記アウトオブバンド通信チャネル接点に接続した第２のポート・コントローラ・モジュールを備え、前記第２パッチパネルはさらに、該第２ポート・コントローラ・モジュールと通信を行う第２のパッチパネル・コントローラ・モジュールを備える、第２のパッチパネルと、
を備え、
前記第１ポート・コントローラ・モジュールは、前記アウトオブバンド通信チャネル接点を介して前記第２ポート・コントローラ・モジュールと通信を行うように適合された、装置。
【請求項１５】
請求項１４に記載の装置において、前記第１ポート・コントローラ・モジュールは前記第１パッチパネル・コントローラ・モジュールの制御下にあり、前記第２ポート・コントローラ・モジュールは前記第２パッチパネル・コントローラ・モジュールの制御下にある、装置。
【請求項１６】
請求項１４に記載の装置であって、さらに、前記第１パッチパネル・ポートおよび前記第２パッチパネル・ポートの各々に関連する少なくとも１つのインジケータ・ライトを備える、装置。
【請求項１７】
請求項１４に記載の装置において、前記第１パッチパネルはさらに、プライマリおよびセカンダリの第１のパッチパネル・ネットワーク・コネクタ・ポートを備え、前記第２パッチ・パネルはさらに、プライマリおよびセカンダリの第２のパッチパネル・ネットワーク・コネクタ・ポートを備え、
前記プライマリの第１パッチパネル・ネットワーク・コネクタ・ポートは、前記第２パッチパネル・ネットワーク・コネクタ・ポートのうちの１つに接続され、前記セカンダリの第１パッチパネル・ネットワーク・コネクタ・ポートは、ネットワーク・マネジメント・システムに接続される、装置。
【請求項１８】
請求項１４に記載の装置において、前記第１パッチパネル・コントローラ・モジュールは、ネットワーク・インターフェイス・モジュールと、パネル・プロセッサ・モジュールと、データ・ストレージ・モジュールとを備える、装置。
【請求項１９】
請求項１４に記載の装置において、前記イン・バンド通信チャネル・コネクタは電気コネクタである、装置。
【請求項２０】
請求項１４に記載の装置において、前記イン・バンド通信チャネル・コネクタは光コネクタである、装置